(57)【特許請求の範囲】
【請求項１】
情報を入力する入力部と、
印刷装置の装置姿勢を判定する姿勢判定部と、
前記姿勢判定部により判定された前記装置姿勢に応じて、外部装置から印刷データを受信する第１のモードと、前記外部装置から前記印刷データを受信せず、前記入力部により入力された情報に基づいて印刷データを生成する第２のモードと、のいずれかに動作モードを設定する動作モード設定部と、を備え、
前記姿勢判定部は、前記印刷装置の電源ＯＮ時に前記装置姿勢を判定し、電源ＯＮ後は前記装置姿勢を判定しないことを特徴とする印刷装置。
【請求項２】
情報を入力する入力部と、
印刷装置の電源ＯＮ状態において常時、前記印刷装置の装置姿勢が、予め定められた第１の姿勢であるか否かを判定する姿勢判定部と、
前記姿勢判定部により前記第１の姿勢であると判定された場合、外部装置から印刷データを受信する第１のモードに設定し、前記姿勢判定部により前記第１の姿勢以外の姿勢と判定された場合、前記入力部により入力された情報に基づいて印刷データを生成する第２のモードに設定する動作モード設定部と、
印刷媒体の情報を検出する検出部と、
前記装置姿勢が前記第１の姿勢以外の姿勢から前記第１の姿勢に変化したとき、前記検出部の検出結果を前記外部装置に送信する送信部と、を備えることを特徴とする印刷装置。
【請求項３】
情報を入力する入力部と、
印刷装置の電源ＯＮ状態において常時、前記印刷装置の装置姿勢が、予め定められた第１の姿勢であるか否かを判定する姿勢判定部と、
前記姿勢判定部により前記第１の姿勢であると判定された場合、外部装置から印刷データを受信する第１のモードに設定し、前記姿勢判定部により前記第１の姿勢以外の姿勢と判定された場合、前記入力部により入力された情報に基づいて印刷データを生成する第２のモードに設定する動作モード設定部と、
前記装置姿勢が前記第１の姿勢以外の姿勢から前記第１の姿勢に変化したとき、自発的に前記外部装置との接続確立処理を行う接続確立処理部と、を備えることを特徴とする印刷装置。
【請求項４】
前記第１のモードは、前記入力部による情報入力を無効にするモードであることを特徴とする請求項１ないし３のいずれか１項に記載の印刷装置。
【請求項５】
前記印刷データに基づいて印刷を行う印刷部と、
印刷済みの印刷媒体を排出する排出口と、を備え、
前記印刷部は、前記姿勢判定部により前記排出口が下向きとなる装置姿勢と判定された場合、印刷実行を禁止することを特徴とする請求項１ないし４のいずれか１項に記載の印刷装置。
【請求項６】
情報を入力する入力部を備えた印刷装置の制御方法であって、
前記印刷装置の装置姿勢を判定する姿勢判定ステップと、
判定された前記装置姿勢に応じて、外部装置から印刷データを受信する第１のモードと、前記外部装置から前記印刷データを受信せず、前記入力部により入力された情報に基づいて印刷データを生成する第２のモードと、のいずれかに動作モードを設定する動作モード設定ステップと、を実行し、
前記姿勢判定ステップでは、前記印刷装置の電源ＯＮ時に前記装置姿勢を判定し、電源ＯＮ後は前記装置姿勢を判定しないことを特徴とする印刷装置の制御方法。
【請求項７】
情報を入力する入力部を備えた印刷装置の制御方法であって、
前記印刷装置の電源ＯＮ状態において常時、前記印刷装置の装置姿勢が、予め定められた第１の姿勢であるか否かを判定する姿勢判定ステップと、
前記装置姿勢が前記第１の姿勢であると判定された場合、外部装置から印刷データを受信する第１のモードに設定し、前記装置姿勢が前記第１の姿勢以外の姿勢と判定された場合、前記入力部により入力された情報に基づいて印刷データを生成する第２のモードに設定する動作モード設定ステップと、
印刷媒体の情報を検出する検出ステップと、
前記装置姿勢が前記第１の姿勢以外の姿勢から前記第１の姿勢に変化したとき、前記印刷媒体の情報の検出結果を前記外部装置に送信する送信ステップと、を実行することを特徴とする印刷装置の制御方法。
【請求項８】
情報を入力する入力部を備えた印刷装置の制御方法であって、
前記印刷装置の電源ＯＮ状態において常時、前記印刷装置の装置姿勢が、予め定められた第１の姿勢であるか否かを判定する姿勢判定ステップと、
前記装置姿勢が前記第１の姿勢であると判定された場合、外部装置から印刷データを受信する第１のモードに設定し、前記装置姿勢が前記第１の姿勢以外の姿勢と判定された場合、前記入力部により入力された情報に基づいて印刷データを生成する第２のモードに設定する動作モード設定ステップと、
前記装置姿勢が前記第１の姿勢以外の姿勢から前記第１の姿勢に変化したとき、自発的に前記外部装置との接続確立処理を行う接続確立処理ステップと、を実行することを特徴とする印刷装置の制御方法。
【発明の詳細な説明】
【技術分野】
【０００１】
本発明は、動作モードを切り替え可能な印刷装置、印刷装置の制御方法に関する。
【背景技術】
【０００２】
従来、この種の技術として非特許文献１に記載のテープ印刷装置が知られている。非特許文献１には、パーソナルコンピューター（以下、「パソコン」と称する）から送信された印刷データに基づいてラベルを作成する外部通信モード（パソコンリンクモード）と、テープ印刷装置に搭載されたキーボードの入力に基づいてラベルを作成するスタンドアロンモードとを、専用ボタンの押下によって切り替える技術が開示されている。
【０００３】
一方、パソコンと専用ケーブルを介して通信可能なテープ印刷装置の中には、ケーブル接続を検出して、スタンドアロンモードから外部通信モードに切り替える機種も存在する。
【先行技術文献】
【非特許文献】
【０００４】
【非特許文献１】「テプラ」ＰＲＯ  ＳＲ５５０取扱説明書  第１４頁  ２０１３ 年１０ 月  第２版  株式会社キングジム
【発明の概要】
【発明が解決しようとする課題】
【０００５】
ところで近年、スマートフォンや無線通信対応のパソコンなどから、無線通信を介して印刷データを受信可能なテープ印刷装置が広く利用されている。このように無線通信を介してホスト装置と接続される場合、ケーブル接続を検出して動作モードを切り替える方法を採用できない。そのため、専用ボタンの押下を検出して動作モードを切り替える方法を採用することが考えられる。ところが、外部通信モードで使用する場合、設置面積を極力小さくするためテープ印刷装置を「縦置き（図１参照）」で使用することが多く、この状態では、ボタンが操作しづらいといった課題がある。また、ユーザーからは、動作モードを切り替えるためのボタン操作の手間を省きたいといった要望もある。
【０００６】
本発明は、上記の問題点に鑑み、動作モードの切り替えを容易に行うことが可能な印刷装置、印刷装置の制御方法を提供することを目的とする。
【課題を解決するための手段】
【０００７】
本発明の印刷装置は、情報を入力する入力部と、装置姿勢を判定する姿勢判定部と、外部装置から印刷データを受信する第１のモードと、外部装置から印刷データを受信せず、入力部により入力された情報に基づいて印刷データを生成する第２のモードと、のいずれかに動作モードを設定する動作モード設定部と、を備え、動作モード設定部は、姿勢判定部により判定された装置姿勢に応じて、動作モードを設定することを特徴とする。
【０００８】
本発明の印刷装置の制御方法は、情報を入力する入力部を備えた印刷装置の制御方法であって、装置姿勢を判定する姿勢判定ステップと、外部装置から印刷データを受信する第１のモードと、外部装置から印刷データを受信せず、入力部により入力された情報に基づいて印刷データを生成する第２のモードと、のいずれかに動作モードを設定する動作モード設定ステップと、を実行し、動作モード設定ステップは、姿勢判定ステップにて判定された装置姿勢に応じて、動作モードを設定することを特徴とする。
【０００９】
本発明の構成によれば、装置姿勢に応じて動作モードを設定するため、装置姿勢を変更するだけで、容易に動作モードを切り替えることができる。また、第１のモード（外部通信モード）を使用する場合は、印刷装置の設置面積が小さい特定の姿勢とすることが多いため、その姿勢を判定したときに第１のモードに設定することで、ユーザーが意識することなく、適切な動作モードへの切り替えが可能となる。
【００１０】
上記の印刷装置において、第１のモードは、入力部による情報入力を無効にするモードであることを特徴とする。
【００１１】
本発明の構成によれば、第１のモード設定時における入力部の誤操作を防止できる。
【００１２】
上記の印刷装置において、姿勢判定部は、印刷装置の電源ＯＮ状態において常時、装置姿勢を判定することを特徴とする。
【００１３】
本発明の構成によれば、装置姿勢を変更するだけで（電源ボタンの操作を必要とすることなく）、動作モードを切り替えることができる。
【００１４】
上記の印刷装置において、姿勢判定部は、印刷装置の電源ＯＮ時に装置姿勢を判定し、電源ＯＮ後は装置姿勢を判定しないことを特徴とする。
【００１５】
本発明の構成によれば、通常使用時に装置姿勢が変更されたことにより、ユーザーの意志に反して動作モードが切り替えられてしまう不具合を防止できる。
【００１６】
上記の印刷装置において、姿勢判定部は、装置姿勢が、予め定められた第１の姿勢であるか否かを判定し、動作モード設定部は、第１の姿勢であると判定された場合、第１のモードに設定し、第１の姿勢以外の姿勢と判定された場合、第２のモードに設定することを特徴とする。
【００１７】
本発明の構成によれば、装置姿勢が第１の姿勢であるか否かの単純な判定により、動作モードを切り替えることができる。
【００１８】
上記の印刷装置において、表示部と、装置姿勢が第１の姿勢以外の姿勢から第１の姿勢に変化したとき、表示部の表示を非表示にする、および／または、表示部の照明を消灯する表示制御部と、を備えることを特徴とする。
【００１９】
本発明の構成によれば、第１のモード時には表示部が不要となるため、表示を非表示にする、および／または、照明を消灯することで、無駄な電力消費を防止できる。
【００２０】
上記の印刷装置において、印刷媒体の情報を検出する検出部と、装置姿勢が第１の姿勢以外の姿勢から第１の姿勢に変化したとき、検出部の検出結果を外部装置に送信する送信部と、を備えることを特徴とする。
【００２１】
本発明の構成によれば、第１のモード切り替え時に、第１のモード時に必要となる検出部の検出結果を自動的に送信するため、ユーザーが印刷媒体の情報を設定する手間を省略できる。
【００２２】
上記の印刷装置において、装置姿勢が第１の姿勢以外の姿勢から第１の姿勢に変化したとき、自発的に外部装置との接続確立処理を行う接続確立処理を備えることを特徴とする。
【００２３】
本発明の構成によれば、第１のモード切り替え時に、外部装置との接続確立処理を行うため、ユーザーが接続確立処理を行う手間を省略できる。
【００２４】
上記の印刷装置において、印刷データに基づいて印刷を行う印刷部と、印刷済みの印刷媒体を排出する排出口と、を備え、印刷部は、姿勢判定部により排出口が下向きとなる装置姿勢と判定された場合、印刷実行を禁止することを特徴とする。
【００２５】
本発明の構成によれば、排出口が下向きとなる装置姿勢と判定された場合に印刷実行を禁止することで、印刷媒体の排出不良による不具合を防止できる。
【図面の簡単な説明】
【００２６】
【図１】携帯端末と、縦置き状態のテープ印刷装置の外観斜視図である。
【図２】横置き状態のテープ印刷装置の外観斜視図である。
【図３】携帯端末のハードウェア構成を示すブロック図である。
【図４】テープ印刷装置のハードウェア構成を示すブロック図である。
【図５】印刷システムの機能構成を示すブロック図である。
【図６】テープ印刷装置の動作モード設定処理の流れを示すフローチャートである。
【発明を実施するための形態】
【００２７】
以下、添付の図面を参照して、本発明の印刷装置、印刷装置の制御方法について説明する。本実施形態では、本発明の印刷装置を、テープ印刷装置に適用した場合を例示する。
【００２８】
本実施形態のテープ印刷装置２は、図１に示す「縦置き」の姿勢（第１の姿勢）、または図２に示す「横置き」の姿勢での使用が可能となっている。「縦置き」とは、テープ印刷装置２の底面３１が設置台（図示省略）に対して垂直（地軸と略平行）となる姿勢、つまり背面３４が設置面となる姿勢である。また、「横置き」とは、テープ印刷装置２の底面３１が設置台に対して水平となる姿勢、つまり底面３１が設置面となる姿勢である。
【００２９】
詳細については後述するが、テープ印刷装置２が「縦置き」の姿勢で設置された場合は、外部通信モード（第１のモード）として動作する。外部通信モードとは、携帯端末１（外部装置）から印刷データを受信するモードである。一方、テープ印刷装置２が「横置き」の姿勢で設置された場合は、スタンドアロンモード（第２のモード）として動作する。スタンドアロンモードとは、テープ印刷装置２のキーボード２１から入力された情報に基づいて印刷データを生成するモードである。
【００３０】
図１は、携帯端末１およびテープ印刷装置２から成る印刷システムＳＹを示す。携帯端末１は、各種タブレット端末（スマートフォンなど）やノート型パソコンなどの情報処理装置によって実現される。同図では、携帯端末１として、タッチパネル１１を搭載したスマートフォンを用いた例を示している。携帯端末１は、Ｂｌｕｅｔｏｏｔｈ（登録商標）などの無線通信によってテープ印刷装置２と通信する。なお、携帯端末１とテープ印刷装置２間の通信は、ＵＳＢ通信やＥｔｈｅｒｎｅｔ（登録商標）などの有線通信規格を用いても良い。
【００３１】
一方、テープ印刷装置２は、図１および図２に示すように、装置ケース４０により外郭が形成され、装置ケース４０の前部上面には各種入力キー・ボタンを備えたキーボード２１が配置される。また、装置ケース４０の後部上面には、その左部に開閉蓋４１が取り付けられ、その右部には表示画面２２が配設される。開閉蓋４１の内側にはテープカートリッジＣを装着するためのカートリッジ装着部４２が窪入形成されており、テープカートリッジＣは、開閉蓋４１を開放した状態でカートリッジ装着部４２に装着される。カートリッジ装着部４２には、サーマル方式の印刷ヘッド２７ａ、テープ搬送機構となるテープ送りモーター２７ｂ、後述するテープカッター２７ｄを駆動するカッターモーター２７ｃなどが内蔵される。なお、テープカートリッジＣとは、長尺状の印刷媒体である印刷テープを巻回したテープリールと、インクリボンを巻回したリボンリールとを収容したものである（いずれも図示省略）。
【００３２】
一方、装置ケース４０の左側部には、カートリッジ装着部４２と外部とを連通するテープ排出口４３が形成され、このテープ排出口４３には、テープカートリッジＣから繰り出された印刷テープを切断するためのテープカッター２７ｄが臨む。そして、テープ排出口４３から印刷済みの印刷テープが送り出されると、送りを一旦停止させた状態でテープカッター２７ｄにより印刷テープが切断され、短冊状のラベルが作成される。
【００３３】
次に、図３および図４を参照し、携帯端末１およびテープ印刷装置２のハードウェア構成について説明する。図３は、携帯端末１のブロック図である。携帯端末１は、ハードウェア構成として、タッチパネル１１、Ｂｌｕｅｔｏｏｔｈ通信部１２、内蔵メモリー１３および携帯端末側制御部１４を備える。
【００３４】
タッチパネル１１は、表示画面１１ａおよび位置入力部１１ｂを含む。表示画面１１ａは、液晶パネルなどによって実現され、ラベルの編集を行うための編集画面（図示省略）など各種情報を表示する。一方、位置入力部１１ｂは、抵抗膜方式または静電容量方式によってユーザーの操作位置を検出する。Ｂｌｕｅｔｏｏｔｈ通信部１２は、Ｂｌｕｅｔｏｏｔｈ通信規格に基づき、テープ印刷装置２とペアリング処理を行って接続を確立した後、無線通信を行う。
【００３５】
内蔵メモリー１３は、例えばフラッシュＲＯＭ（登録商標）によって実現され、ＯＳ（Operating  System）１３ａや、専用アプリケーション１３ｂを記憶する。専用アプリケーション１３ｂは、テープ印刷装置２を制御するためのスマートフォン用アプリケーションである。
【００３６】
携帯端末側制御部１４は、ＣＰＵ（Central  Processing  Unit）およびＲＡＭ（Random  Access  Memory）等によって実現され、上記の各部（符号１１ないし符号１３）と連携し、テープ印刷装置２に供給する印刷データの生成処理やテープ印刷装置２との通信制御を行う。
【００３７】
図４は、テープ印刷装置２のブロック図である。テープ印刷装置２は、ハードウェア構成として、キーボード２１、表示画面２２、設置センサー２３、テープ検出センサー２４、Ｂｌｕｅｔｏｏｔｈ通信部２５、内蔵メモリー２６、印刷機構２７および印刷装置側制御部２８を備える。
【００３８】
キーボード２１は、印刷データを生成するためのテキストの入力や画像の選択等を行う。表示画面２２は、キーボード２１の入力結果（ラベルの編集結果）や、テープ検出センサー２４の検出結果などを表示する。その他、設置センサー２３の検出結果に基づいて、設定中の動作モードを表示しても良い。本実施形態の表示画面２２は、例えば液晶画面により実現され、バックライト（照明機構）が設けられている。設置センサー２３は、例えば重力加速度センサーにより実現され、テープ印刷装置２の装置姿勢（設置姿勢）を検出する。
【００３９】
テープ検出センサー２４は、テープカートリッジＣに収容された印刷テープに関するテープ情報を検出する。テープ情報としては、印刷テープのテープ幅、テープ材質、テープ色などを検出する。なお、検出方法としては、テープカートリッジＣに貼付または印刷された画像（バーコードや２次元コードなど）やＲＦＩＤ（Radio  Frequency  Identification）を読み取る方法、テープカートリッジＣに形成された１以上の孔の有無を検出する方法、などが考えられる。また、検出タイミングとしては、テープ印刷装置２が電源ＯＮされたとき、テープカートリッジＣが装着されたとき、装置姿勢が変化したと判定されたとき、動作モードの設定を変更したとき、などが考えられる。Ｂｌｕｅｔｏｏｔｈ通信部２５は、Ｂｌｕｅｔｏｏｔｈ通信規格に基づいて携帯端末１と通信を行う。
【００４０】
内蔵メモリー２６は、例えばフラッシュＲＯＭ（登録商標）によって実現され、テープ印刷装置２のファームウェア２６ａを記憶する。印刷機構２７は、印刷ヘッド２７ａ、テープ送りモーター２７ｂ、カッターモーター２７ｃおよびテープカッター２７ｄを含む。印刷装置側制御部２８は、ＣＰＵやＲＡＭ等によって実現され、上記の各部（符号２１ないし符号２７）と連携し、携帯端末１との通信制御や印刷制御を行う。また、設置センサー２３の検出結果に基づいて装置姿勢を判定し、判定した装置姿勢に応じて、動作モード（外部通信モードまたはスタンドアロンモード）を設定する。
【００４１】
次に、図５を参照し、印刷システムＳＹの機能構成について説明する。携帯端末１は、機能構成として、受信部５１、表示部５２、入力部５３、印刷データ生成部５４および送信部５５を備える。
【００４２】
受信部５１は、テープ印刷装置２と通信可能な状態において（テープ印刷装置２が外部通信モードに設定されている場合）、テープ印刷装置２からテープ情報を受信する。入力部５３は、印刷データを生成するための情報を入力する。表示部５２は、受信したテープ情報や入力部５３の入力結果を表示する。また、印刷データ生成部５４は、これらテープ情報や入力部５３の入力結果に基づいて印刷データを生成する。当該印刷データは、テキストや画像を印刷するためのコマンド、印刷テープを切断するためのコマンドなど各種コマンドを含む。送信部５５は、テープ印刷装置２と通信可能な状態において、生成した印刷データをテープ印刷装置２に送信する。
【００４３】
一方、テープ印刷装置２は、機能構成として、送信部６１、テープ情報検出部６２（検出部）、姿勢判定部６３、動作モード設定部６４、表示制御部６５、表示部６６、入力部６７、受信部６８および印刷部６９を備える。
【００４４】
テープ情報検出部６２は、テープ検出センサー２４に相当し、テープカートリッジＣに収容された印刷テープのテープ情報を検出する。姿勢判定部６３は、設置センサー２３の検出結果に基づき、テープ印刷装置２の装置姿勢を判定する（姿勢判定ステップ）。具体的には、テープ印刷装置２が「縦置き」の姿勢であるか（図１参照）、「縦置き」以外の姿勢であるかを判定する。送信部６１は、姿勢判定部６３によりテープ印刷装置２の装置姿勢が「縦置き」以外の姿勢から「縦置き」に変更されたと判定されたとき、テープ情報検出部６２により検出されたテープ情報を携帯端末１に送信する。
【００４５】
動作モード設定部６４は、姿勢判定部６３によりテープ印刷装置２の装置姿勢が「縦置き」と判定された場合、外部通信モードに設定する（動作モード設定ステップ）。外部通信モードとは、携帯端末１から印刷データを受信し、且つ入力部６７（キーボード２１）による情報入力を無効にするモードである。また、外部通信モードでは、携帯端末１からファイルデータなど各種設定データを受信可能である。テープ印刷装置２は、ファイルデータを受信すると内蔵メモリー２６内の所定の記憶領域に当該ファイルデータを保存しておく。その後、外部通信モード時に携帯端末１からファイルデータの印刷指令を受信した場合は、印刷指令により指定されたファイルデータを所定の記憶領域から読み出して印刷する。なお、「縦置き」は、テープ印刷装置２の設置面積が極力小さくなる姿勢であり、且つテープ印刷装置２が自立可能な姿勢である（図１参照）。
【００４６】
一方、動作モード設定部６４は、姿勢判定部６３によりテープ印刷装置２の装置姿勢が「縦置き」以外の姿勢と判定された場合、スタンドアロンモードに設定する。スタンドアロンモードとは、携帯端末１から印刷データを受信せず、且つ入力部６７より入力された情報に基づいて印刷データを生成するモードである。つまり、スタンドアロンモードは、テープ印刷装置２を単体で使用する動作モードである。なお、本実施形態では、図２に示すように、テープ印刷装置２の装置姿勢が「横置き」の場合だけでなく、テープ印刷装置２の右側面３２が下向きとなる姿勢でも、スタンドアロンモードに設定する。
【００４７】
表示部６６は、表示画面２２に相当し、スタンドアロンモード設定時において、ラベルの編集結果など各種情報を表示する。表示制御部６５は、姿勢判定部６３によりテープ印刷装置２の装置姿勢が「縦置き」以外の姿勢から「縦置き」に変更されたと判定されたとき、表示部６６の表示を非表示にし、且つ表示部６６の照明（バックライト）を消灯する。なお、装置姿勢が「縦置き」以外の姿勢から「縦置き」に変更されたとき、表示部６６に表示された情報のうち、一部のみを非表示にしたり、バックライトの照度を小さくするなど、表示部６６の表示態様を一部変更するだけでも良い。
【００４８】
入力部６７は、キーボード２１に相当し、印刷データを生成するための各種情報を入力する。受信部６８は、外部通信モード設定時において、携帯端末１から印刷データを受信する。印刷部６９は、スタンドアロンモード設定時において、入力部６７から入力された情報に基づいて生成された印刷データを印刷する。また、印刷部６９は、外部通信モード設定時において、携帯端末１から受信した印刷データを印刷する。また、印刷部６９は、姿勢判定部６３によりテープ排出口４３（排出口）が下向きとなる装置姿勢と判定された場合、印刷実行を禁止する。このように、テープ印刷装置２の左側面３３（図２参照）が下向きとなる姿勢の場合に印刷実行を禁止することで、テープ排出口４３から印刷テープが排出されず紙ジャムを起こしてしまうことを防止する。
【００４９】
次に、図６のフローチャートを参照し、テープ印刷装置２の動作モード設定処理の流れを説明する。なお、同図に示すフローチャートは、テープ印刷装置２の電源ＯＮ後、定期的に繰り返されるものである。テープ印刷装置２は、装置姿勢が「縦置き」であるか否かを判定する（Ｓ０１）。装置姿勢が「縦置き」と判定された場合は（Ｓ０１：Ｙｅｓ）、テープ印刷装置２の識別情報をブロードキャストし（Ｓ０２）、識別情報が一致した携帯端末１と接続を確立する（Ｓ０３）。当該Ｓ０２およびＳ０３は、請求項における「接続確立処理」に相当する。
【００５０】
テープ印刷装置２は、接続を確立すると、まずキーボード２１のキー検出を無効にする（Ｓ０４）。また、表示画面２２の表示を非表示にし、バックライトを消灯する（Ｓ０５）。また、オートパワーオフ機能（キーボード２１のキー入力を所定時間検出しなかった場合に自動電源ＯＦＦする機能）を無効にする（Ｓ０６）。さらに、テープ検出センサー２４により検出したテープ情報を携帯端末１に送信し（Ｓ０７）、その後、動作モードを外部通信モードに設定する（Ｓ０８）。一方、Ｓ０１にて装置姿勢が「縦置き」以外の姿勢と判定された場合は（Ｓ０１：Ｎｏ）、動作モードをスタンドアロンモードに設定する（Ｓ０９）。
【００５１】
以上説明したとおり、本実施形態のテープ印刷装置２は、自身の装置姿勢を判定し、判定した装置姿勢に応じて動作モードを設定する。このためユーザーは、動作モードを変更したい場合、テープ印刷装置２の装置姿勢を変更するだけで良く、動作モード切り替え専用ボタン等の操作を省略できる。また、装置姿勢が「縦置き」の場合に外部通信モードに設定するため、設置面積を小さくすることができ、机上の作業スペースを有効利用することができる。
【００５２】
また、本実施形態のテープ印刷装置２は、電源ＯＮ状態において常時装置姿勢を判定するため、ユーザーは、電源ボタンの操作や装置姿勢の判定を行うための操作を必要とすることなく、容易に動作モードを切り替えることができる。また、装置姿勢の判定は「縦置き」であるか否かの単純な判定であるため、極力、誤判定を防止できる。
【００５３】
また、装置姿勢が「縦置き」以外の姿勢から「縦置き」に変化したときは、表示画面２２の表示を非表示にし、バックライトも消灯するため、外部通信モード時における無駄な電力消費を防止できる。同様に、装置姿勢が「縦置き」に変化したとき、自発的に接続確立処理を行ったり、外部通信モード時に必要となるテープ検出センサー２４の検出結果を携帯端末１に送信したりするため、外部通信モード切り替え後にユーザーがそれらの操作を行う手間を省略できる。また、「縦置き」への姿勢変化に伴い、キーボード２１のキー検出を無効にするため、外部通信モード時におけるキーボード２１の誤操作を防止できる。また、「縦置き」への姿勢変化に伴い、オートパワーオフを無効にするため、ユーザーの意思に反してテープ印刷装置２が電源ＯＦＦ状態となることがない。さらに、テープ排出口４３が下向きとなる装置姿勢と判定された場合には印刷実行を禁止するため、印刷テープの排出不良による不具合を防止できる。
【００５４】
なお、上記の実施形態によらず、以下の変形例を採用可能である。
[変形例１]
上記の実施形態の姿勢判定部６３は、電源ＯＮ状態において常時装置姿勢を判定したが、電源ＯＮ時のみ装置姿勢を判定し、電源ＯＮ後は装置姿勢を判定しない構成でも良い。この構成によれば、何らかの原因で装置姿勢が変化したことによりユーザーの意志に反して動作モードが切り替えられてしまう誤動作を防止できる。
【００５５】
また、さらなる変形例として、図６に示した動作モード設定処理を、装置姿勢が変化したときのみ実行する構成でも良い。また、装置姿勢が変化した後、同一姿勢が所定時間継続したことを条件として動作モード設定処理を実行しても良い。
【００５６】
[変形例２]
上記の実施形態では、印刷部６９が、テープ排出口４３が下向きとなる装置姿勢の場合に印刷実行を禁止したが、入力部６７の入力自体を禁止しても良い。
【００５７】
[変形例３]
上記の実施形態の姿勢判定部６３は、装置姿勢が「縦置き」であるか否かを判定したが、「縦置き」であるか「横置き」であるかを判定しても良い。この場合、動作モード設定部６４は、「縦置き」と判定された場合、外部通信モードに設定し、「横置き」と判定された場合、スタンドアロンモードに設定する。そして、「縦置き」および「横置き」以外の姿勢と判定された場合、動作モードを設定しない構成としても良い。つまり、「縦置き」および「横置き」以外の姿勢の場合、携帯端末１から印刷データを受信せず、且つ入力部６７による情報入力を無効にする第３のモードに設定しても良い。
【００５８】
また、さらなる変形例として、テープ印刷装置２が「縦置き」の場合、外部通信モードに設定し、テープ印刷装置２のテープ排出口４３が下向きとなる姿勢の場合、第３のモードに設定し、それら以外の姿勢の場合、スタンドアロンモードに設定する構成でも良い。
【００５９】
また、さらなる変形例として、テープ印刷装置２が「横置き」の場合、スタンドアロンモードに設定し、テープ印刷装置２のテープ排出口４３が下向きとなる姿勢の場合、第３のモードに設定し、それら以外の姿勢の場合、外部通信モードに設定する構成でも良い。
【００６０】
[変形例４]
上記の実施形態の表示制御部６５は、装置姿勢が「縦置き」以外の姿勢から「縦置き」に変更されたとき、表示部６６（液晶画面）の表示を非表示にし、且つ表示部６６の照明（バックライト）を消灯したが、テープ印刷装置２に搭載されたＬＥＤや照明機能付きボタンに対して、当該制御を行っても良い。また、入力部６７（キーボード２１）に照明機能が搭載されている場合、装置姿勢が「縦置き」に変更されたことに伴って当該照明を消灯しても良い。
【００６１】
[その他の変形例]
また、上記の実施形態および変形例に示した印刷システムＳＹ（携帯端末１およびテープ印刷装置２）における各構成要素をプログラムとして提供しても良い。また、そのプログラムを各種記録媒体（ＣＤ−ＲＯＭ、フラッシュメモリー等）に格納して提供しても良い。すなわち、コンピューターを印刷システムＳＹの各構成要素として機能させるためのプログラム、およびそれを記録した記録媒体も、本発明の権利範囲に含まれる。また、上記の実施形態では、本発明の印刷装置をテープ印刷装置に適用した場合を例示したが、テープ印刷装置以外の印刷装置（切断機能を有しないものも含む）にも、本発明を適用可能である。その他、携帯端末１を他の情報処理装置で実現するなど、本発明の要旨を逸脱しない範囲で、適宜変更が可能である。
【符号の説明】
【００６２】
１…携帯端末、２…テープ印刷装置、５１…受信部、５２…表示部、５３…入力部、５４…印刷データ生成部、５５…送信部、６１…送信部、６２…テープ情報検出部、６３…姿勢判定部、６４…動作モード設定部、６５…表示制御部、６６…表示部、６７…入力部、６８…受信部、６９…印刷部、ＳＹ…印刷システム。
【図１】
0006672869.tif 000002
【図２】
0006672869.tif 000003
【図３】
0006672869.tif 000004
【図４】
0006672869.tif 000005
【図５】
0006672869.tif 000006
【図６】
0006672869.tif 000007